(57)【要約】【課題】  トイレ等への人の出入が少ない場合においても、トイレ等に臭いがこもることを防止することができる換気装置を提供すること。【解決手段】  換気扇２と、この換気扇２の周辺に設置され、人体７からの熱線を検知して検知信号を発信する熱線センサ３と、換気扇２をオン・オフする制御部４とを備えた換気装置であって、制御部４は、換気扇２を所定時間Ｔ１おきに所定時間Ｔ２動作させる間欠動作機能を備えるとともに、熱線センサ３からの検知信号を受信して換気扇２を所定時間Ｔ３動作させる検知動作機能を備えてなるようにする。【選択図】図１
2005274074.tif 000002
【特許請求の範囲】
【請求項１】
換気扇と、
この換気扇の周辺に設置され、人体からの熱線を検知して検知信号を発信する熱線センサと、
前記換気扇をオン・オフする制御部とを備えた換気装置であって、
前記制御部は、前記換気扇を所定時間Ｔ１おきに所定時間Ｔ２動作させる間欠動作機能を備えるとともに、前記検知信号を受信して前記換気扇を所定時間Ｔ３動作させる検知動作機能を備えてなることを特徴とする換気装置。
【請求項２】
前記制御部は、前記検知動作機能によって換気扇を動作させた後に次の検知信号を受けない場合には、換気扇が停止してから前記所定時間Ｔ１経過した後に間欠動作機能による換気扇の動作を再開させることを特徴とする請求項１記載の換気装置。
【請求項３】
前記制御部は、前記所定時間Ｔ１、Ｔ２及びＴ３を設定するための時間調整部を備えてなることを特徴とする請求項１又は２に記載の換気装置。
【発明の詳細な説明】
【技術分野】
【０００１】
本発明は、トイレ等に設置される換気装置に関するものである。
【背景技術】
【０００２】
従来より、熱線センサにより人体を検知して換気扇を所定時間動作させる換気装置が知られている。（特許文献１）
【特許文献１】特開２００２−２３１４６７公報
【発明の開示】
【発明が解決しようとする課題】
【０００３】
しかしながら、上記特許文献１における換気装置においては、熱線センサにより人体を検知して換気扇を所定時間動作させることはできるものの、所定時間経過後には停止し、次に人体を検知するまでそのまま停止した状態が継続する。そのため、このような換気装置を、例えばトイレ等に設置した場合、トイレ等への人の出入が少ない場合には換気扇が動作しない時間が長くなり、その結果、トイレ等に臭いがこもってしまうといった問題があった。
【０００４】
本発明は、かかる事由に鑑みてなしたもので、その目的とするところは、トイレ等への人の出入が少ない場合においても、トイレ等に臭いがこもることを防止することができる換気装置を提供することにある。
【課題を解決するための手段】
【０００５】
上記課題を解決するために、本発明では、第１には、換気扇と、この換気扇の周辺に設置され、人体からの熱線を検知して検知信号を発信する熱線センサと、前記換気扇をオン・オフする制御部とを備えた換気装置であって、前記制御部は、前記換気扇を所定時間Ｔ１おきに所定時間Ｔ２動作させる間欠動作機能を備えるとともに、前記検知信号を受信して前記換気扇を所定時間Ｔ３動作させる検知動作機能を備えてなるようにする。
【０００６】
第２には、前記制御部は、前記検知動作機能によって換気扇を動作させた後に次の検知信号を受けない場合には、換気扇が停止してから前記所定時間Ｔ１経過した後に間欠動作機能による換気扇の動作を再開させるようにする。
【０００７】
第３には、前記制御部は、前記所定時間Ｔ１、Ｔ２及びＴ３を設定するための時間調整部を備えてなるようにする。
【発明の効果】
【０００８】
上記本発明の第１の換気装置では、換気扇と、この換気扇の周辺に設置され、人体からの熱線を検知して検知信号を発信する熱線センサと、換気扇をオン・オフする制御部とを備えた換気装置であって、制御部は、換気扇を所定時間Ｔ１おきに所定時間Ｔ２動作させる間欠動作機能を備えるとともに、検知信号を受信して換気扇を所定時間Ｔ３動作させる検知動作機能を備えてなるため、トイレ等への人の出入が少ない場合においても、所定時間おきに換気扇を動作させることができるとともに、トイレ等に人が入った際にも換気扇を動作させることができるので、換気扇を効果的に動作させてトイレ等に臭いがこもるのを防止することができる。
【０００９】
上記本発明の第２の換気装置では、上記第１の換気装置と同様の効果が得られ、また、制御部は、検知動作機能によって換気扇を動作させた後に次の検知信号を受けない場合には、換気扇が停止してから所定時間Ｔ１経過した後に間欠動作機能による換気扇の動作を再開させるため、必要以上に換気扇を動作させることを防止でき、省エネルギー化が可能になる。
【００１０】
上記本発明の第３の換気装置では、上記第１の換気装置と同様の効果が得られ、また、制御部は、所定時間Ｔ１、Ｔ２及びＴ３を設定するための時間調整部を備えてなるので、トイレ等の空間の大きさや換気扇の換気能力等に合わせて換気扇の動作時間や動作間隔を最適な条件に設定することができる。
【発明を実施するための最良の形態】
【００１１】
（実施形態１）
本発明の実施形態１における換気装置１について、図１〜４に基づいて説明する。本実施形態における換気装置１は、図１、２に示すように、換気扇２と、センサ検知部１０を有する熱線センサ付自動スイッチ２０を備えており、商用電源５に接続されている。
【００１２】
ここで、センサ検知部１０は、ＰＩＲセンサからなる熱線センサ３とコンパレータ部３a及び信号処理部３ｂを備えており、熱線センサ付自動スイッチ２０として制御部４や電源回路５a等とともに一体的に成形されて天井や壁等に取り付けられる。
【００１３】
熱線センサ３は、センサ検知エリア６内に人体７が侵入すると、人体７からの熱線を検知して検知信号を発信し、検知信号はコンパレータ部３a、信号処理部３ｂを通って制御部４に入る。そして、制御部４により出力駆動部４aを介して換気扇２を動作させるようになっている。
【００１４】
ここで、制御部４は、換気扇２を所定時間Ｔ１おきに所定時間Ｔ２動作させる間欠動作機能を備えるとともに、熱線センサ３からの検知信号を受信して換気扇２を所定時間Ｔ３動作させる検知動作機能を備えている。
【００１５】
また、熱線センサ付自動スイッチ２０には、図３に示すように、時間Ｔ１、Ｔ２及びＴ３を設定するための時間調整部８と、手動スイッチ部９が備えられており、手動スイッチ部９によって換気装置１を、電源ＯＦＦ、自動運転、連続運転のいずれかに切り換えることができるようになっている。
【００１６】
次に、本実施形態における換気装置１の動作についてさらに詳しく説明する。図４に示すように、換気扇２は、間欠動作機能により、時間調整部８によって予め設定された所定時間Ｔ１おきに所定時間Ｔ２動作するようになっている。
【００１７】
そして、上記の間欠動作機能による換気扇２の動作に加えて、熱線センサ３から検知信号を受信した場合にも換気扇２の動作を開始させ、熱線センサ３が人体を検知している時間（ｔ）の後、時間調整部８によって予め設定された所定時間Ｔ３の間、動作を継続させるようになっている。
【００１８】
なお、本実施形態においては、Ｔ１とＴ２を別々に設定するようにしているが、例えば、１時間当たりの換気扇２の動作時間として、０〜６０分の間で換気扇２の動作時間を設定できる時間調整部（図示せず）を用いてもよい。
【００１９】
以上のように、本実施形態における換気装置１では、換気扇２と、この換気扇２の周辺に設置され、人体７からの熱線を検知して検知信号を発信する熱線センサ３と、換気扇２をオン・オフする制御部４とを備え、制御部４は、換気扇２を所定時間Ｔ１おきに所定時間Ｔ２動作させる間欠動作機能を備えるとともに、熱線センサ３からの検知信号を受信して換気扇２を所定時間Ｔ３動作させる検知動作機能を備えてなるため、トイレ等への人の出入が少ない場合においても、所定時間おきに換気扇２を動作させることができるとともに、トイレ等に人が入った際にも換気扇２を動作させることができるので、換気扇２を効果的に動作させてトイレ等に臭いがこもるのを防止することができる。
【００２０】
また、制御部４は、所定時間Ｔ１、Ｔ２及びＴ３を設定するための時間調整部８を備えてなるので、トイレ等の空間の大きさや換気扇２の換気能力等に合わせて換気扇２の動作時間や動作間隔を最適な条件に設定することができる。
【００２１】
（実施形態２）
本発明の実施形態２における換気装置１について、図５に基づいて説明する。実施形態２では、換気装置１の動作に関する部分のみが実施形態１と異なるので、その点について説明する。
【００２２】
本実施形態における換気装置１においては、制御部４は、検知動作機能によって換気扇２を動作させた後に次の検知信号を受けない場合には、換気扇２が停止してから所定時間Ｔ１経過した後に間欠動作機能による換気扇２の動作を再開させるようになっている。  
【００２３】
すなわち、換気扇２の間欠動作の途中に検知信号を受信した場合には、検知動作機能によって換気扇２が動作を開始し、その後検知信号を受信しない場合には所定時間Ｔ３の後に換気扇２は一旦停止する。そして、その時点から、間欠動作の所定時間Ｔ１のカウントを再び開始するのである。
【００２４】
以上のように、本実施形態における換気装置１では、換気扇２と、この換気扇２の周辺に設置され、人体７からの熱線を検知して検知信号を発信する熱線センサ３と、換気扇２をオン・オフする制御部４とを備え、制御部４は、換気扇２を所定時間Ｔ１おきに所定時間Ｔ２動作させる間欠動作機能を備えるとともに、熱線センサ３からの検知信号を受信して換気扇２を所定時間Ｔ３動作させる検知動作機能を備えてなるため、トイレ等への人の出入が少ない場合においても、所定時間おきに換気扇２を動作させることができるとともに、トイレ等に人が入った際にも換気扇２を動作させることができるので、換気扇２を効果的に動作させてトイレ等に臭いがこもるのを防止することができる。
【００２５】
また、制御部４は、所定時間Ｔ１、Ｔ２及びＴ３を設定するための時間調整部８を備えてなるので、トイレ等の空間の大きさや換気扇２の換気能力等に合わせて換気扇２の動作時間や動作間隔を最適な条件に設定することができる。
【００２６】
また、制御部４は、検知動作機能によって換気扇２を動作させた後に次の検知信号を受けない場合には、換気扇２が停止してから所定時間Ｔ１経過した後に間欠動作機能による換気扇２の動作を再開させるため、間欠動作における換気扇２の停止時間Ｔ１を効果的に確保することができ、その結果、必要以上に換気扇２を動作させることを防止できて省エネルギー化が可能になる。
【図面の簡単な説明】
【００２７】
【図１】本発明の実施形態１及び２における換気装置１の構成を示す図である。
【図２】同実施形態１及び２における換気装置１のブロック回路図である。
【図３】同実施形態１及び２における制御部４の正面図である。
【図４】本発明の実施形態１における換気装置１の動作を示すタイムチャートである。
【図５】本発明の実施形態２における換気装置１の動作を示すタイムチャートである。
【符号の説明】
【００２８】
１  換気装置
２  換気扇
３  熱線センサ
４  制御部
５  商用電源
６  センサ検知エリア
８  時間調整部
【図１】
2005274074.tif 000003
【図２】
2005274074.tif 000004
【図３】
2005274074.tif 000005
【図４】
2005274074.tif 000006
【図５】
2005274074.tif 000007